(57)【要約】【課題】テラス空間等の半屋外空間を備える住宅において、住宅の外観が損なわれるのを抑制しながら、半屋外空間を好適に利用できるようにすること。【解決手段】住宅１０は、建物本体１３と、その建物本体１３の上方に設けられた屋根部１４とを備える。その屋根部１４の一部は外壁部１６よりも屋外側に張り出した軒部１８となっている。住宅１０には、外壁部１６ａの屋外側にテラス空間５７が設けられている。外壁部１６ｂのテラス空間５７側には、当該外壁部１６ａと離間対向する対向壁部８８が設けられている。対向壁部８８は、その壁幅方向に所定の間隔をおいて複数配置され、それら各対向壁部８８はいずれも軒部１８に接続されている。【選択図】      図４
2019085814.tif 000002
【特許請求の範囲】
【請求項１】
建物本体部と、その建物本体部の上方に設けられた屋根部とを備え、
前記建物本体部の外周部には外壁部が設けられ、
前記屋根部は、前記外壁部よりも屋外側に張り出した軒部を有している住宅であって、
前記外壁部には、前記建物本体部における所定の側面を形成する第１外壁部が含まれており、
前記第１外壁部の屋外側には、半屋外空間が設けられており、
前記第１外壁部の前記半屋外空間側には、当該第１外壁部と離間対向する対向壁部が設けられており、
前記対向壁部は、その壁幅方向に所定の間隔をおいて複数配置され、
それら各対向壁部はいずれも前記軒部に接続されていることを特徴とする住宅。
【請求項２】
前記半屋外空間には、前記軒部の下方に形成された軒下空間が含まれており、
前記軒下空間は、前記各対向壁部に跨がって連続して形成されていることを特徴とする請求項１に記載の住宅。
【請求項３】
前記外壁部には、前記第１外壁部とともに出隅を形成する第２外壁部が含まれており、
前記半屋外空間は、前記第１外壁部及び前記第２外壁部の屋外側に跨がって設けられ、
前記軒下空間は、前記第１外壁部に隣接する第１軒下空間と、その第１軒下空間と連続するとともに前記第２外壁部に隣接する第２軒下空間とを有しており、
前記第１軒下空間は、前記各対向壁部に跨がって連続して形成され、
前記第２外壁部の前記第２軒下空間側には壁部が設けられていないことを特徴とする請求項２に記載の住宅。
【請求項４】
前記第１軒下空間は、前記対向壁部と前記第１外壁部との間の空間であってかつ前記第２軒下空間と連続する壁間空間部を有し、
前記壁間空間部と前記第２軒下空間とにより平面視でＬ字状をなすＬ字空間部が形成され、
前記壁間空間部に隣接する前記対向壁部は、その壁幅が、当該対向壁部と前記第１外壁部との間隔よりも大きくなっていることを特徴とする請求項３に記載の住宅。
【請求項５】
前記建物本体部には、前記所定の側面において開口し、かつ当該所定の側面よりも屋内側に凹んだ凹状部が形成されており、
前記半屋外空間は、床部の設定されたテラス空間となっており、その一部が前記凹状部に入り込んだ入り込み空間となっており、
その入り込み空間は、前記軒下空間の一部を含んで形成されていることを特徴とする請求項２乃至４のいずれか一項に記載の住宅。
【請求項６】
隣り合う前記各対向壁部の間の壁間開口部は、前記対向壁部の壁幅方向において前記凹状部と同じ位置に設定されていることを特徴とする請求項５に記載の住宅。
【請求項７】
前記第１外壁部は、前記凹状部を挟んだ両側に設けられた一対の外壁部分を有し、
前記隣り合う各対向壁部は、前記各外壁部分にそれぞれ対向して設けられており、
前記外壁部分と前記対向壁部との間の空間として、互いに離間する第１壁間空間部及び第２壁間空間部が設けられ、
前記軒下空間は、前記第１壁間空間部及び前記第２壁間空間部と、それら各壁間空間部を繋ぐ繋ぎ空間部とを有して形成され、
前記各壁間空間部の間には、前記床部が設定されていない庭空間が設けられ、
前記繋ぎ空間部は、前記庭空間を迂回するように前記凹状部に入り込んで形成されていることを特徴とする請求項６に記載の住宅。
【請求項８】
屋内空間として、前記第１外壁部を隔てて前記半屋外空間と隣接する隣接空間を備え、
前記第１外壁部には、前記隣接空間と前記半屋外空間とを連通する複数の窓部が壁幅方向に所定の間隔で設けられており、
前記複数の対向壁部において、隣り合う対向壁部の間は壁間開口部となっており、
前記壁間開口部は、前記各窓部と対向する位置にそれぞれ設定されていることを特徴とする請求項１乃至４のいずれか一項に記載の住宅。
【発明の詳細な説明】
【技術分野】
【０００１】
本発明は、住宅に関するものである。
【背景技術】
【０００２】
住宅には、外壁の屋外側にテラスが設けられている場合がある。特許文献１には、こうしたテラスが設けられた住宅にあって、そのテラスに隣接する外壁の屋外側に、当該外壁と離間対向させて塀を設けた構成が開示されている。この塀は、その上端部が住宅の屋根と同じ高さにある比較的高い塀となっている。この特許文献１の構成によれば、テラスで過ごす際、塀により住宅外部からの視線を遮ることができるため、プライバシ性の確保を図ることができる。なお、特許文献１では、塀が、住宅の屋根部から離間して配置されている。
【０００３】
また、特許文献１の住宅では、塀の一部に開口部が設けられている。この場合、テラスにおいて開放感が損なわれるのを抑制しながら、プライバシ性の確保を図ることが可能となる。そのため、特許文献１の住宅によれば、テラスを好適に利用することが可能となっている。
【先行技術文献】
【特許文献】
【０００４】
【特許文献１】特開平１０−１８４０３９号公報
【発明の概要】
【発明が解決しようとする課題】
【０００５】
ここで、特許文献１の住宅では、塀が外壁から離間して設けられているとともに、屋根からも離間して設けられているため、外観的に、塀が住宅の付属物として見えてしまうおそれがある。その場合、住宅全体の外観が損われるおそれがある。
【０００６】
本発明は、上記事情に鑑みてなされたものであり、テラス空間等の半屋外空間を備える住宅において、住宅の外観が損なわれるのを抑制しながら、半屋外空間を好適に利用できるようにすることを主たる目的とするものである。
【課題を解決するための手段】
【０００７】
上記課題を解決すべく、第１の発明の住宅は、建物本体部と、その建物本体部の上方に設けられた屋根部とを備え、前記建物本体部の外周部には外壁部が設けられ、前記屋根部は、前記外壁部よりも屋外側に張り出した軒部を有している住宅であって、前記外壁部には、前記建物本体部における所定の側面を形成する第１外壁部が含まれており、前記第１外壁部の屋外側には、床部の設定された半屋外空間が設けられており、前記第１外壁部の前記半屋外空間側には、当該第１外壁部と離間対向する対向壁部が設けられており、前記対向壁部は、その壁幅方向に所定の間隔をおいて複数配置され、それら各対向壁部はいずれも前記軒部に接続されていることを特徴とする。
【０００８】
本発明によれば、建物本体部における所定の側面を形成する第１外壁部の屋外側に、床部の設定された半屋外空間が設けられている。第１外壁部の半屋外空間側（屋外側）には、第１外壁部と離間対向する対向壁部が設けられている。この場合、半屋外空間で過ごす際には、その対向壁部により住宅外部からの視線を遮ることができるため、半屋外空間において一定のプライバシ性を確保することができる。
【０００９】
また、対向壁部は、その壁幅方向に所定の間隔をおいて複数配置されているため、隣り合う対向壁部の間には壁間開口部が形成されている。この場合、半屋外空間において開放感が損なわれるのを抑制しながら、プライバシ性の確保を図ることができる。
【００１０】
さらに、各対向壁部はいずれも、屋根部において外壁部よりも張り出した軒部に接続されている。この場合、各対向壁部について屋根部との一体感を高めることができ、ひいては住宅との一体感を高めることができる。これにより、住宅の外観が損なわれるのを抑制しながら、半屋外空間を好適に利用することが可能となる。
【００１１】
第２の発明の住宅は、第１の発明において、前記半屋外空間には、前記軒部の下方に形成された軒下空間が含まれており、前記軒下空間は、前記各対向壁部に跨がって連続して形成されていることを特徴とする。
【００１２】
本発明によれば、建物本体部における所定の側面側に連続した軒下空間を形成することができる。また、軒下空間の一部が、各対向壁部により屋外側から覆われるため、軒下空間においてプライバシ性の確保を図ることが可能となる。
【００１３】
第３の発明の住宅は、第２の発明において、前記外壁部には、前記第１外壁部とともに出隅を形成する第２外壁部が含まれており、前記半屋外空間は、前記第１外壁部及び前記第２外壁部の屋外側に跨がって設けられ、前記軒下空間は、前記第１外壁部に隣接する第１軒下空間と、その第１軒下空間と連続するとともに前記第２外壁部に隣接する第２軒下空間とを有しており、前記第１軒下空間は、前記各対向壁部に跨がって連続して形成され、前記第２外壁部の前記第２軒下空間側には壁部が設けられていないことを特徴とする。
【００１４】
本発明によれば、軒下空間が、第１外壁部に隣接する第１軒下空間と、第２外壁部に隣接する第２軒下空間とを有しているため、建物本体部の２面に跨がる連続した軒下空間を形成することができる。また、第１軒下空間は、対向壁部によりプライバシ性が確保された空間となっている一方で、第２外壁部の第２軒下空間側には壁部が設けられていないため、第２軒下空間は屋外側に広く開放された開放空間となっている。これにより、第１軒下空間をプライベートな目的で利用したり第２軒下空間を友人等を招いてパブリックな目的で利用したりする等、軒下空間を種々の用途で利用することが可能となる。
【００１５】
第４の発明の住宅は、第３の発明において、前記第１軒下空間は、前記対向壁部と前記第１外壁部との間の空間であってかつ前記第２軒下空間と連続する壁間空間部を有し、前記壁間空間部と前記第２軒下空間とにより平面視でＬ字状をなすＬ字空間部が形成され、前記壁間空間部に隣接する前記対向壁部は、その壁幅が、当該対向壁部と前記第１外壁部との間隔よりも大きくなっていることを特徴とする。
【００１６】
本発明によれば、第１軒下空間において対向壁部と第１外壁部との間の空間である壁間空間部と、第２軒下空間とにより平面視Ｌ字状のＬ字空間部が形成されている。この場合、壁間空間部では、対向壁部の壁幅が比較的長くされているため、風を伴う降雨時等においても、雨が入り込むのを抑制することができる。また、第２軒下空間は、上述したように、開放感にあふれた空間とされているため、この場合、Ｌ字空間部を、開放感あふれる空間としながら、天候に大きく左右されることなく利用することが可能となる。
【００１７】
第５の発明の住宅は、第２乃至第４のいずれかの発明において、前記建物本体部には、前記所定の側面において開口し、かつ当該所定の側面よりも屋内側に凹んだ凹状部が形成されており、前記半屋外空間は、床部の設定されたテラス空間となっており、その一部が前記凹状部に入り込んだ入り込み空間となっており、その入り込み空間は、前記軒下空間の一部を含んで形成されていることを特徴とする。
【００１８】
本発明によれば、建物本体部に、その所定の側面において開口した凹状部が形成され、その凹状部に半屋外空間（テラス空間）の一部が入り込んでいる。そして、その入り込んだ入り込み空間が、軒下空間の一部を含んでいる。凹状部においては外部からの視線を届きにくくすることができるため、この場合、（凹状部内の）軒下空間で過ごすに際し、より一層プライバシ性の確保を図ることが可能となる。
【００１９】
第６の発明の住宅は、第５の発明において、隣り合う前記各対向壁部の間の壁間開口部は、前記対向壁部の壁幅方向において前記凹状部と同じ位置に設定されていることを特徴とする。
【００２０】
本発明によれば、隣り合う対向壁部の間の壁間開口部が、対向壁部の壁幅方向において凹状部と同位置に設定されているため、（凹状部内の）軒下空間で過ごすに際し、開放感が著しく損なわれるのを抑制しながら、より一層プライバシ性の確保を図ることが可能となる。
【００２１】
第７の発明の住宅は、第６の発明において、前記第１外壁部は、前記凹状部を挟んだ両側に設けられた一対の外壁部分を有し、前記隣り合う各対向壁部は、前記各外壁部分にそれぞれ対向して設けられており、前記外壁部分と前記対向壁部との間の空間として、互いに離間する第１壁間空間部及び第２壁間空間部が設けられ、前記軒下空間は、前記第１壁間空間部及び前記第２壁間空間部と、それら各壁間空間部を繋ぐ繋ぎ空間部とを有して形成され、前記各壁間空間部の間には、前記床部が設定されていない庭空間が設けられ、前記繋ぎ空間部は、前記庭空間を迂回するように前記凹状部に入り込んで形成されていることを特徴とする。
【００２２】
本発明によれば、軒下空間が、互いに離間する第１壁間空間部及び第２壁間空間部と、それら各壁間空間部を繋ぐ繋ぎ空間部とを有して形成されている。この場合、壁間空間部が複数設けられているため、各壁間空間部をそれぞれ異なる目的で同時に利用することが可能となる。例えば、第１壁間空間部を住宅の居住者がプライベートな目的で利用し、第２壁間空間部を別の居住者が来客を招いてパブリックな目的で利用するといったことが可能となる。
【００２３】
また、各壁間空間部の間には、床部の設定されていない庭空間が設けられているため、各壁間空間部を互いに分離することができ、その結果、各壁間空間部を異なる目的で利用する上で好都合となっている。この場合、庭空間に樹木等の植栽を植えれば、各壁間空間部の間で相互に視線を遮ることが可能となり、各壁間空間部それぞれにおいてプライバシ性を高めることが可能となる。
【００２４】
第８の発明の住宅は、第１乃至第４のいずれかの発明において、屋内空間として、前記第１外壁部を隔てて前記半屋外空間と隣接する隣接空間を備え、前記第１外壁部には、前記隣接空間と前記半屋外空間とを連通する複数の窓部が壁幅方向に所定の間隔で設けられており、前記複数の対向壁部において、隣り合う対向壁部の間は壁間開口部となっており、前記壁間開口部は、前記各窓部と対向する位置にそれぞれ設定されていることを特徴とする。
【００２５】
屋内空間のうち、第１外壁部を隔てて半屋外空間と隣接する隣接空間では、第１外壁部の半屋外空間側に対向壁部が設けられている関係で、開放感が損なわれ易いことが考えられる。そこで本発明では、その点に鑑みて、複数の対向壁部において、隣り合う対向壁部の間の各壁間開口部をそれぞれ第１外壁部の窓部と対向する位置に配置している。この場合、互いに対向する窓部及び壁間開口部を介して隣接空間が住宅外部に開放されるため、隣接空間において開放感が損なわれるのを抑制することができる。
【図面の簡単な説明】
【００２６】
【図１】第１の実施形態における住宅の外観を示す外観図。
【図２】住宅の間取りを示す平面図。
【図３】建物ユニットの構成を示す斜視図。
【図４】テラス空間周辺を拡大して示す平面図。
【図５】テラス空間の外観を示す外観図。
【図６】第２の実施形態における住宅の外観を示す外観図。
【図７】住宅の間取りを示す平面図。
【図８】テラス空間周辺を拡大して示す平面図。
【発明を実施するための形態】
【００２７】
〔第１の実施形態〕
以下に、本発明を具体化した一実施の形態について図面を参照しつつ説明する。本実施形態では、住宅が平屋建てとされており、その住宅が複数の建物ユニットが互いに組み合わされて構築されるユニット式住宅となっている。図１は、その住宅の外観を示す外観図である。図２は、住宅の間取りを示す平面図である。
【００２８】
図１及び図２に示すように、敷地１１内には住宅１０が設けられている。住宅１０は、基礎１２上に設けられた建物本体１３と、その建物本体１３の上方に配設された屋根部１４とを備える。建物本体１３は、水平方向に並設された複数の建物ユニット２０により構成されている。なお、建物本体１３が建物本体部に相当する。また、図２では便宜上、各建物ユニット２０の４隅に配置される柱２１のみを図示している。
【００２９】
図３は、建物ユニット２０の構成を示す斜視図である。同図３に示すように、建物ユニット２０は、その四隅に配設される４本の柱２１と、各柱２１の上端部及び下端部をそれぞれ連結する各４本の天井大梁２２及び床大梁２３とを備える。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００３０】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。天井小梁２５はリップ溝形鋼よりなり、床小梁２６は角形鋼よりなる。
【００３１】
図１及び図２の説明に戻り、建物本体１３は、平面視にて略Ｈ字状をなしており、その外周部には外壁部１６が設けられている。建物本体１３は、大きく分けて３つの建物部３１〜３３を有する。これら各建物部３１〜３３のうち、第１建物部３１と第２建物部３２とはいずれも同じ方向（東西方向）に延びており、その平面視短手方向（南北方向）に互いに離間して配置されている。
【００３２】
第３建物部３３は、第１建物部３１と第２建物部３２との間に配置され、それら各建物部３１，３２を互いに連結している。第３建物部３３は、各建物部３１，３２の長手方向における長さが各建物部３１，３２よりも短くなっており、上記長手方向において各建物部３１，３２の中間部詳しくは中央部に位置している。
【００３３】
第１建物部３１は、その長手方向における両側にそれぞれ第３建物部３３よりも張り出した一対の張出部３１ａ，３１ｂを有している。また、第２建物部３２は、その長手方向における両側にそれぞれ第３建物部３３よりも張り出した一対の張出部３２ａ，３２ｂを有している。この場合、各建物部３１，３２の張出部３１ａ，３２ａが互いに対向しており、各建物部３１，３２の張出部３１ｂ，３２ｂが互いに対向している。なお、本実施形態では、第１建物部３１及び第２建物部３２のうち、第１建物部３１が北側、第２建物部３２が南側に位置している。また、これら各建物部３１，３２の張出部３１ａ，３２ａが西側に位置し、張出部３１ｂ，３２ｂが東側に位置している。
【００３４】
各建物部３１，３２の張出部３１ａ，３２ａの間には凹状部３５が形成されている。凹状部３５は、建物本体１３の西面１３ａにて開口し当該西面１３ａよりも屋内側に向けて袋状に凹んでいる。また、各建物部３１，３２の張出部３１ｂ，３２ｂの間には凹状部３６が形成されている。凹状部３６は、建物本体１３の東面１３ｂにて開口し当該東面１３ｂよりも屋内側に向けて袋状に凹んでいる。なお、これら各凹状部３５，３６のうち、凹状部３５が、特許請求の範囲に記載された「凹状部」に相当する。また、建物本体１３の西面１３ａが「建物本体部における所定の側面」に相当する。
【００３５】
屋根部１４は、切り妻式の屋根となっている。屋根部１４は、建物本体１３に合わせて、平面視にて略Ｈ字状に形成されている。詳しくは、屋根部１４は、平面視において建物本体１３よりも一周り大きい略Ｈ字状をなしている。屋根部１４において外壁部１６よりも屋外側に張り出した部分は軒部１８となっている。軒部１８は、外壁部１６の全域に亘って連続して形成されている。なお、図２では便宜上、屋根部１４の外縁つまり軒部１８の軒先を仮想線（二点鎖線）で示している。
【００３６】
住宅１０（詳しくは建物本体１３）には、外壁部１６により囲まれた内側に複数の屋内空間が設けられている。屋内空間としては、玄関４１と、リビング４２と、ダイニングキッチン４３と、和室４４と、寝室４５と、脱衣室４６と、浴室４７と、トイレ４８と、廊下４９とが設けられている。
【００３７】
玄関４１は、第２建物部３２の張出部３２ｂに設けられている。玄関４１には、玄関口５１が設けられ、その玄関口５１は住宅１０の南面にて開口している。したがって、本住宅１０では、住宅１０の南面が住宅正面となっている。なお、住宅１０の正面側（南面側）には、敷地１１に隣接して道路Ｒが設けられ、敷地１１内には、その道路Ｒから玄関４１へ延びるアプローチ５３が設けられている。また、張出部３２ｂには、玄関４１に加え、和室４４が設けられ、その和室４４と玄関４１とが廊下５４を介して通じている。
【００３８】
リビング４２は、第２建物部３２の張出部３２ａに設けられている。また、ダイニングキッチン４３は、第２建物部３２と第３建物部３３とに跨がって設けられている。ダイニングキッチン４３は、ダイニング空間４３ａとキッチン空間４３ｂとを有し、それら各空間４３ａ，４３ｂが互いに連続した連続空間となっている。ダイニング空間４３ａは第２建物部３２に設けられ、キッチン空間４３ｂは第３建物部３３に設けられている。この場合、ダイニング空間４３ａはリビング４２の東側に隣接しており、そのリビング４２とダイニング空間４３ａ（ひいてはダイニングキッチン４３）とは互いに連続した連続空間となっている。
【００３９】
寝室４５は、第１建物部３１の張出部３１ｂに設けられている。また、脱衣室４６と浴室４７とは、第１建物部３１の張出部３１ａに設けられている。脱衣室４６は、洗濯機が設けられたランドリースペースとしても利用されている。また、寝室４５と脱衣室４６とは廊下４９を介して通じており、その廊下４９の南側にはキッチン空間４３ｂが隣接している。
【００４０】
住宅１０には、上述した各屋内空間４１〜４９に加えて、外壁部１６の屋外側に隣接してテラス空間５６，５７が設けられている。これらのテラス空間５６，５７はいずれも屋外にデッキ５６ａ，５７ａが敷設されることにより形成された床上空間となっている。このため、各テラス空間５６，５７では、その床面が地上面よりも高い位置に設定されている。また、各テラス空間５６，５７の床面は、屋内空間４１〜４９の床面と略同じ高さ位置に設定されている。なお、屋外に敷設される床部としてはデッキ以外に、タイルやコンクリート床等を用いてもよい。
【００４１】
各テラス空間５６，５７のうち、テラス空間５６は、建物本体１３の凹状部３６に形成されている。テラス空間５６は、張出部３１ｂ内の寝室４５と外壁部１６を隔てて隣接しており、その外壁部１６には寝室４５からテラス空間５６へ出入りするための出入口５８が形成されている。また、テラス空間５６は、張出部３２ｂ内の廊下５４と外壁部１６を隔てて隣接しており、その外壁部１６には廊下５４からテラス空間５６へ出入りするための出入口５９が形成されている。
【００４２】
続いて、テラス空間５７周辺の構成について図４に基づいて説明する。図４は、テラス空間５７周辺を拡大して示す平面図である。なお、テラス空間５７が「半屋外空間」に相当する。
【００４３】
図４に示すように、外壁部１６には、建物本体１３の西面１３ａを形成する外壁部１６ａと、建物本体１３の南面１３ｃを形成する外壁部１６ｂとが含まれている。これら各外壁部１６ａ，１６ｂは平面視にてＬ字状をなすよう配置され、それら各外壁部１６ａ，１６ｂにより当該外壁部１６の出隅６１が形成されている。なお、この場合、外壁部１６ａが第１外壁部に相当し、外壁部１６ｂが第２外壁部に相当する。
【００４４】
外壁部１６ａは、凹状部３５を挟んだ両側に配置された一対の外壁部分６２，６３を有している。これら各外壁部分６２，６３のうち、外壁部分６２が第１建物部３１の張出部３１ａに設けられ、外壁部分６３が第２建物部３２の張出部３２ａに設けられている。各外壁部分６２，６３は、壁幅方向に並んで配置され、互いの外壁面が同一平面上に位置している。また、各外壁部分６２，６３のうち、外壁部分６３が外壁部１６ｂとともに出隅６１を形成している。なお、本実施形態では、各外壁部分６２，６３の壁幅がいずれも同じとされている。
【００４５】
外壁部１６には、上記各外壁部分６２，６３を繋ぐ外壁部１６ｃがさらに含まれている。この外壁部１６ｃは、平面視にて凹状部３５をコ字状に囲むようにして形成されている。
【００４６】
テラス空間５７は、建物本体１３の西側と南側とに跨がって形成されている。テラス空間５７は、建物本体１３の西側において外壁部１６ａの各外壁部分６２，６３と外壁部１６ｃとに跨がって形成されている。この場合、テラス空間５７は、その一部が凹状部３５に入り込んだ入り込み空間６４となっている。この入り込み空間６４では、その３方が外壁部１６ｃにより囲まれている。また、テラス空間５７は、建物本体１３の南側において外壁部１６ｂに隣接し、リビング４２とダイニングキッチン４３（ダイニング空間４３ａ）とに跨がって設けられている。
【００４７】
テラス空間５７は、外壁部１６ａの外壁部分６２を隔てて脱衣室４６と隣接している。外壁部分６２には、脱衣室４６からテラス空間５７への出入りを可能とする出入口６６が設けられ、この出入口６６には出入口扉６７が設けられている。
【００４８】
テラス空間５７において入り込み空間６４は、外壁部１６ｃを隔てて脱衣室４６及び廊下４９にそれぞれ隣接している。また、入り込み空間６４は、外壁部１６ｃを隔ててダイニングキッチン４３（キッチン空間４３ｂ）と隣接している。外壁部１６ｃには、ダイニングキッチン４３から入り込み空間６４への出入りを可能とする出入口７３が設けられ、その出入口７３にはガラス戸７４が設けられている。
【００４９】
テラス空間５７は、外壁部１６ａ〜１６ｃを隔ててリビング４２と隣接している。この場合、リビング４２は、その３方が各外壁部１６ａ〜１６ｃにより囲まれている。各外壁部１６ａ〜１６ｃにはそれぞれテラス空間５７とリビング４２とを連通する窓部７６〜７８が設けられている。これら各窓部７６〜７８のうち、窓部７６は外壁部１６ａ（詳しくは外壁部分６３）に設けられ、窓部７７は外壁部１６ｂに設けられ、窓部７８は外壁部１６ｃに設けられている。これら各窓部７６〜７８のうち、窓部７６には窓ガラス８１が嵌め込まれており、窓部７７，７８にはガラス戸８２，８３が設けられている。このように、リビング４２では、その３面に窓部７６〜７８が設けられ、それら各窓部７６〜７８からそれぞれテラス空間５７を見通すことが可能となっている。また、各窓部７６〜７８のうち、窓部７７，７８はいわゆる掃き出し窓とされ、その窓部７７，７８を介してリビング４２からテラス空間５７への出入りが可能となっている。したがって、以下においては、これらの窓部７７，７８を出入口７７，７８ともいう。
【００５０】
テラス空間５７は、外壁部１６ｂを隔ててダイニングキッチン４３（ダイニング空間４３ａ）と隣接している。外壁部１６ｂには、ダイニングキッチン４３からテラス空間５７への出入りを可能とする出入口８５が設けられ、その出入口８５にはガラス戸８６が設けられている。
【００５１】
外壁部１６ａの屋外側には、その外壁部１６ａと離間しかつ対向する対向壁部８８が設けられている。以下、この対向壁部８８について図４に加え図５を用いて説明する。図５は、テラス空間５７の外観を示す外観図である。
【００５２】
図４及び図５に示すように、対向壁部８８は、その壁幅方向に所定の間隔をおいて複数（具体的には２つ）配置されている。これら各対向壁部８８のうち、一方の対向壁部８８（以下、この符号にａを付す）は外壁部１６ａの外壁部分６２と対向して設けられ、他方の対向壁部８８（以下、この符号にｂを付す）は外壁部分６３と対向して設けられている。
【００５３】
対向壁部８８ａは、その壁幅（壁幅方向の長さ）が外壁部分６２の壁幅と同じとなっており、壁幅方向において外壁部分６２と同じ位置に配置されている。詳しくは、対向壁部８８ａの壁幅は、対向壁部８８ａと外壁部分６２との間の間隔よりも大きくされており、より詳しくは当該間隔の２倍以上とされている。
【００５４】
これと同様に、対向壁部８８ｂも、その壁幅が外壁部分６３の壁幅と同じとされ、壁幅方向において外壁部分６３と同じ位置に配置されている。詳しくは、対向壁部８８ｂの壁幅は、対向壁部８８ｂと外壁部分６３との間の間隔よりも大きくされ、より詳しくは当該間隔の２倍以上とされている。なお、本実施形態では、各対向壁部８８ａ，８８ｂがいずれも同じ壁幅とされ、かつその厚みが同じとされている。
【００５５】
各対向壁部８８ａ，８８ｂの間には、壁間開口部８９が形成されている。この壁間開口部８９は、その開口幅、つまり対向壁部８８ａ，８８ｂの壁幅方向における長さが凹状部３５（換言すると入り込み空間６４）の同方向の長さと同じとされている。この場合、壁間開口部８９は、上記壁幅方向において凹状部３５と同じ位置に設定されている。
【００５６】
各対向壁部８８ａ，８８ｂはいずれもテラス空間５７の周縁部に沿って立設されている。各対向壁部８８ａ，８８ｂは屋根部１４の軒部１８の下方に配置され、上端部が軒部１８と接続されている。これにより、各対向壁部８８ａ，８８ｂはいずれも屋根部１４と一体とされている。また、この場合、軒部１８が各対向壁部８８ａ，８８ｂにより下方から支持された状態となっている。
【００５７】
テラス空間５７は、その一部が軒部１８の下方に形成された軒下空間９１となっている。以下、この軒下空間９１について説明する。
【００５８】
軒下空間９１は、各外壁部１６ａ〜１６ｃの屋外側に隣接しており、それら各外壁部１６ａ〜１６ｃに跨がって連続して形成されている。軒下空間９１は、外壁部１６ａ（詳しくは両外壁部分６２，６３）及び外壁部１６ｃに隣接して設けられた第１軒下空間９２と、外壁部１６ｂに隣接して設けられた第２軒下空間９３とを有している。この場合、第１軒下空間９２は、建物本体１３の西側に設けられ、第２軒下空間９３は、建物本体１３の南側に設けられている。
【００５９】
第１軒下空間９２は、外壁部１６ａの外壁部分６２と対向壁部８８ａとの間の空間である第１壁間空間部９５と、外壁部１６ａの外壁部分６３と対向壁部８８ｂとの間の空間である第２壁間空間部９６と、それら各壁間空間部９５，９６を繋ぐ繋ぎ空間部９７とを有している。図４では便宜上、これら各空間部９５〜９７の外縁をそれぞれ点線の枠で示している。また、これと同様に、第２軒下空間９３の外縁も点線の枠で示している。
【００６０】
第１壁間空間部９５は、対向壁部８８ａの壁幅方向における両側がそれぞれ開口しており、通り抜け可能とされている。これと同様に、第２壁間空間部９６も、対向壁部８８ｂの壁幅方向における両側がそれぞれ開口しており、通り抜け可能とされている。繋ぎ空間部９７は、外壁部１６ｃに沿った平面視コ字状をなしており、その両端部においてそれぞれ第１壁間空間部９５及び第２壁間空間部９６と連続している。この場合、繋ぎ空間部９７は、その一部が入り込み空間６４に含まれている。
【００６１】
第１壁間空間部９５と第２壁間空間部９６との間には、デッキ５７ａが設定されていない庭空間９９が設けられている。デッキ５７ａには、各壁間空間部９５，９６の間において建物本体１３側に凹んだ凹部１０１が形成されている。この凹部１０１は、屋外側（建物本体１３側とは反対側）に向けて開口しており、その凹部１０１（全域）を利用して庭空間９９が形成されている。そして、この庭空間９９には、植栽としての樹木Ｓが植え込まれている。この樹木Ｓは、第１壁間空間部９５と第２壁間空間部９６とを互いに仕切るようにして設けられている。
【００６２】
庭空間９９についてより詳しくは、庭空間９９は、各壁間空間部９５，９６の並ぶ並び方向（換言すると対向壁部８８の壁幅方向）における長さが、各壁間空間部９５，９６の間の離間距離よりも短くされており、詳しくは当該離間距離の１／３程度とされている。庭空間９９は、各壁間空間部９５，９６の間の略中央部に配置されている。また、庭空間９９は、対向壁部８８の壁厚み方向における長さが各壁間空間部９５，９６よりも大きくされている。この場合、庭空間９９は、上記壁厚み方向において、各壁間空間部９５，９６の全域に亘るよう配置されている。
【００６３】
上記のように、第１壁間空間部９５と第２壁間空間部９６との間に庭空間９９が設けられている関係で、繋ぎ空間部９７は、庭空間９９を迂回するようにして凹状部３５に入り込んでいる。この場合、繋ぎ空間部９７は、平面視にて庭空間９９をコ字状に囲むように形成されている。
【００６４】
また、第１軒下空間９２は、各外壁部１６ａ，１６ｂに形成されたすべての出入口６６，７３，７８に隣接している。これにより、第１軒下空間９２を通じてそれら各出入口６６，７３，７８にそれぞれ移動することが可能となっている。
【００６５】
第２軒下空間９３は、外壁部１６ｂに沿って延びるように形成され、当該外壁部１６ｂに設けられた各出入口７７，８５にそれぞれ隣接している。第２軒下空間９３は、その延びる方向（換言すると、外壁部１６ｂの壁幅方向）において外壁部１６ａよりも延出しており、その延出した部分が第１軒下空間９２の第２壁間空間部９６と連続している。これにより、第２壁間空間部９６と第２軒下空間９３とにより平面視Ｌ字状をなすＬ字空間部９８が形成されている。なお、第２壁間空間部９６が、特許請求の範囲に記載された「壁間空間部」に相当する。
【００６６】
外壁部１６ｂの第２軒下空間９３側（屋外側）には、当該外壁部１６ｂと対向する対向壁部が設けられていない。詳しくは、外壁部１６ｂの壁幅方向における第２軒下空間９３の全域において、外壁部１６ｂよりも第２軒下空間９３側には壁部が一切設けられていない。このため、第２軒下空間９３は、その全域が屋外に向けて開放された開放空間となっている。
【００６７】
ここで、上述した軒下空間９１を利用する場合の利用例について説明する。
【００６８】
軒下空間９１において、第１壁間空間部９５は、風を伴う降雨時等にも雨が入り込みにくい空間となっている。このため、第１壁間空間部９５では、例えば洗濯物を陰干しする等、ユーティリティスペースとして利用することが可能となる。特に、第１壁間空間部９５は、脱衣室４６から出入口６６を介して出入り可能となっているため、洗濯物を干す上では好都合である。また、第１壁間空間部９５は、通風性や採光性の面でも良好といえ、その点からも洗濯干しスペースに適しているといえる。さらに、第１壁間空間部９５は、道路Ｒから離れた空間となっているため、外部からの視線が気になりにくく、このようなプライベートな目的での利用に適しているといえる。
【００６９】
繋ぎ空間部９７では、例えば庭空間９９を見ながら読書したりする等、くつろぎのスペースとして利用することが可能となる。繋ぎ空間部９７では、住宅外部からの視線が特に届きにくく、プライベートな目的での利用に適している。
【００７０】
第２壁間空間部９６は、第１壁間空間部９５と同様、雨が入り込みにくい空間となっているため、天候に関わらず利用することができる。また、第２軒下空間９３は、屋外に開放された開放空間となっているため、来客を招いてパブリックな目的で利用することが可能である。特に、第２軒下空間９３は、リビング４２やダイニングキッチン４３から出入り可能となっているため、パブリックな目的で利用する際には好都合である。さらに、第２軒下空間９３と第２壁間空間部９６とを含めたＬ字空間部９８として利用することも可能である。
【００７１】
ここで、本ユニット式住宅１０では、テラス空間５７（軒下空間９１）の一部が建物ユニット２０の内部空間を用いて形成されている。そこで、以下においては、その点に関する構成ついて説明する。
【００７２】
本住宅１０では、軒下空間９１の第１軒下空間９２及び第２軒下空間９３のうち、第１軒下空間９２が建物ユニット２０の内部空間を用いて形成されている。具体的には、第１軒下空間９２の各空間部９５〜９７のうち、第１壁間空間部９５及び第２壁間空間部９６が建物ユニット２０の内部空間を用いて形成されている。
【００７３】
第１壁間空間部９５は、横並びに設けられた複数（具体的には２つ）の建物ユニット２０（以下、建物ユニット２０ａという）の内部空間を用いて形成されている。これら各建物ユニット２０ａは、その（平面視）長手方向を対向壁部８８ａの壁厚み方向（東西方向）に向けた状態で、対向壁部８８ａの壁幅方向（南北方向）に並んで配置されている。そして、第１壁間空間部９５は、これら各建物ユニット２０ａの内部に跨がって形成されている。なお、図４では、各建物ユニット２０ａを他の建物ユニット２０と区別するため、それら各建物ユニット２０ａの柱２１を黒塗りして示している。
【００７４】
各建物ユニット２０ａの短辺側の側面部には、それら両ユニット２０ａに跨がって対向壁部８８ａが形成されている。対向壁部８８ａは、当該側面部を構成する柱２１、天井大梁２２及び床大梁２３を利用して形成されている。また、各建物ユニット２０ａの内部には、両ユニット２０ａに跨がって外壁部１６ａの外壁部分６２が形成されている。
【００７５】
第２壁間空間部９６は、横並びに設けられた複数（具体的には２つ）の建物ユニット２０（以下、建物ユニット２０ｂという）の内部空間を用いて形成されている。これら各建物ユニット２０ｂは、その（平面視）長手方向を対向壁部８８ｂの壁厚み方向（東西方向）に向けた状態で、対向壁部８８ｂの壁幅方向（南北方向）に並んで配置されている。そして、第２壁間空間部９６は、これら各建物ユニット２０ｂの内部に跨がって形成されている。なお、図４では、各建物ユニット２０ｂを他の建物ユニット２０と区別するため、それら各建物ユニット２０ｂの柱２１を黒塗りして示している。
【００７６】
各建物ユニット２０ｂの短辺側の側面部には、それら両ユニット２０ｂに跨がって対向壁部８８ｂが形成されている。対向壁部８８ｂは、当該側面部を構成する柱２１、天井大梁２２及び床大梁２３を利用して形成されている。また、各建物ユニット２０ｂの内部には、両ユニット２０ｂに跨がって外壁部１６ａの外壁部分６３が形成されている。
【００７７】
建物ユニット２０ａと建物ユニット２０ｂとはいずれも（平面視）長手方向の長さが同じとされ、同方向において同じ位置に配置されている。また、建物ユニット２０ａと建物ユニット２０ｂとの間は、建物ユニット２０が設けられていない非ユニット空間となっている。この非ユニット空間には繋ぎ空間部９７が形成されている。また、この非ユニット空間を利用して凹状部３５が形成されている。この場合、各建物ユニット２０ａ，２０ｂの間の間隔は凹状部３５の幅と同じとなっている。また、建物ユニット２０ａ，２０ｂの長手方向の長さは、同方向における凹状部３５の（平面視）底面位置から対向壁部８８ａ，８８ｂの外面までの距離と同じとなっている。
【００７８】
以上、詳述した本実施形態の構成によれば、以下の優れた効果が得られる。
【００７９】
外壁部１６ａの屋外側に隣接させてテラス空間５７を設け、その外壁部１６ａの屋外側には当該外壁部１６ａと離間対向する対向壁部８８を設けた。この場合、テラス空間５７で過ごす際、その対向壁部８８により住宅外部からの視線を遮ることができる。そのため、テラス空間５７において一定のプライバシ性を確保することができる。
【００８０】
また、対向壁部８８を、その壁幅方向に所定の間隔をおいて複数配置することで、隣り合う対向壁部８８の間に壁間開口部８９を形成した。この場合、テラス空間５７において開放感が損なわれるのを抑制しながら、プライバシ性の確保を図ることができる。
【００８１】
さらに、各対向壁部８８をいずれも、その上端部において屋根部１４の軒部１８に接続した。この場合、各対向壁部８８について屋根部１４との一体感を高めることができ、ひいては住宅１０との一体感を高めることができる。これにより、住宅１０の外観が損なわれるのを抑制しながら、テラス空間５７を好適に利用することが可能となる。
【００８２】
テラス空間５７の一部を、軒部１８の下方に形成された軒下空間９１とし、その軒下空間９１を各対向壁部８８に跨がって連続して形成した。この場合、建物本体１３の西側に連続した軒下空間を形成することができる。また、軒下空間９１の一部が、各対向壁部８８により屋外側から覆われることになるため、軒下空間９１においてプライバシ性の確保を図ることが可能となる。また、この場合、住宅１０側部の空間を有効に利用することも可能となる。
【００８３】
軒下空間９１を、外壁部１６ａに隣接する第１軒下空間９２と、外壁部１６ｂに隣接する第２軒下空間９３とを有して形成したため、建物本体１３の２面（西面１３ａ及び南面１３ｃ）に跨がる連続した軒下空間を形成することができる。また、第１軒下空間９２は、対向壁部８８によりプライバシ性が確保された空間となっている一方で、外壁部１６ｂの第２軒下空間９３側（屋外側）には壁部を設けず、第２軒下空間９３を屋外側に広く開放された開放空間とした。これにより、第１軒下空間９２をプライベートな目的で利用したり第２軒下空間９３を友人等を招いてパブリックな目的で利用したりする等、軒下空間９１を種々の用途で利用することが可能となる。
【００８４】
第２壁間空間部９６と第２軒下空間９３とにより平面視Ｌ字状のＬ字空間部９８を形成した。また、第２壁間空間部９６に隣接する対向壁部８８ｂについては、その壁幅を対向壁部８８ｂと外壁部１６ａ（詳しくは外壁部分６３）との間の間隔よりも大きくした。この場合、第２壁間空間部９６では、対向壁部８８ｂの壁幅が比較的長くされているため、風を伴う降雨時等においても、雨が入り込むのを抑制することができる。また、第２軒下空間９３は、上述したように、開放感にあふれた空間とされているため、この場合、Ｌ字空間部９８を、開放感あふれる空間としながら、天候に大きく左右されることなく利用することが可能となる。
【００８５】
建物本体１３に、その西面１３ａにて開口する凹状部３５を形成し、テラス空間５７の一部をその凹状部３５に入り込ませて入り込み空間６４とした。そして、その入り込み空間６４を軒下空間９１の一部（詳しくは繋ぎ空間部９７）を含んで形成した。この場合、凹状部３５においては外部からの視線を届きにくくすることができる。特に、凹状部３５を建物本体１３の張出部３２ａを挟んで道路Ｒとは反対側に配置したため、道路Ｒ側からの視線を遮ることができる。そのため、（凹状部３５内の）軒下空間９１で過ごす際には、より一層プライバシ性の確保を図ることが可能となる。
【００８６】
隣り合う対向壁部８８の間の壁間開口部８９を、対向壁部８８の壁幅方向において凹状部３５と同じ位置に設定したため、（凹状部３５内の）軒下空間９１で過ごすに際し、開放感が著しく損なわれるのを抑制しながら、より一層プライバシ性の確保を図ることが可能となる。
【００８７】
壁間空間部として、互いに離間した位置に第１壁間空間部９５及び第２壁間空間部９６を設けたため、それら各壁間空間部９５，９６をそれぞれ異なる目的で同時に利用することが可能となる。例えば、第１壁間空間部９５を住宅の居住者がプライベートな目的で利用し、第２壁間空間部９６を別の居住者が来客を招いてパブリックな目的で利用するといったことが可能となる。
【００８８】
また、各壁間空間部９５，９６を繋ぎ空間部９７を介して繋ぐことで、それら各空間部９５〜９７が連続した第１軒下空間９２を形成した。そして、こうした構成にあって、各壁間空間部９５，９６の間に、デッキ５７ａが設定されていない庭空間９９を設けた。この場合、その庭空間９９により各壁間空間部９５，９６を互いに分離できるため、上記のように各壁間空間部９５，９６を異なる目的で利用する上で好都合となる。
【００８９】
さらに、庭空間９９には、植栽として樹木Ｓを植えたため、その樹木Ｓにより各壁間空間部９５，９６の間で相互に視線を遮ることが可能となる。このため、各壁間空間部９５，９６それぞれにおいてプライバシ性を高めることが可能となる。
【００９０】
〔第２の実施形態〕
次に、第２の実施形態における住宅の構成について図６及び図７に基づいて説明する。図６は、第２の実施形態における住宅の外観を示す外観図であり、図７は、その住宅の間取りを示す平面図である。本実施形態では、住宅が、上記第１の実施形態と同様、平屋建てのユニット式住宅とされている。なお、図７では便宜上、各建物ユニット２０の４隅に配置される柱２１のみを図示している。
【００９１】
図６及び図７に示すように、敷地１１１内には住宅１１０が設けられている。住宅１１０は、基礎１１２上に設けられた建物本体１１３と、その建物本体１１３の上方に配設された屋根部１１４とを備える。建物本体１１３は、水平方向に並設された複数の建物ユニット２０により構成されている。建物本体１１３は、平面視において略矩形形状をなしており、その外周部には外壁部１１６が設けられている。なお、建物本体１１３が建物本体部に相当する。また、敷地１１１の南側には道路Ｒが隣接している。
【００９２】
屋根部１１４は、寄せ棟式の屋根となっている。屋根部１１４において外壁部１１６よりも屋外側に張り出した部分は軒部１１８となっている。軒部１１８は、外壁部１１６の全域に亘って連続して形成されている。なお、図７では便宜上、屋根部１１４の外縁つまり軒部１１８の軒先を仮想線（二点鎖線）で示している。
【００９３】
建物本体１１３には、外壁部１１６により囲まれた内側に複数の屋内空間が設けられている。屋内空間としては、玄関１２１と、ＬＤＫ１２２と、寝室１２３と、和室１２４と、主寝室１２５と、浴室１２６と、トイレ１２７とが設けられている。
【００９４】
また、住宅１０には、上述した各屋内空間１２１〜１２７に加え、外壁部１１６の屋外側に隣接してテラス空間１３１が設けられている。テラス空間１３１は屋外にデッキ１３１ａが敷設されることにより形成された床上空間となっている。このため、テラス空間１３１では、その床面が地上面よりも高い位置に設定されている。また、テラス空間１３１の床面は、屋内空間１２１〜１２７の床面と略同じ高さ位置に設定されている。なお、屋外に敷設される床部としてはデッキ以外に、タイルやコンクリート床等を用いてもよい。
【００９５】
続いて、テラス空間１３１周辺の構成について図８に基づいて説明する。図８は、テラス空間１３１周辺を拡大して示す平面図である。なお、テラス空間１３１が「半屋外空間」に相当する。
【００９６】
図８に示すように、外壁部１１６には、建物本体１１３の北面１１３ａを形成する外壁部１１６ａと、建物本体１１３の西面１１３ｂを形成する外壁部１１６ｂと、建物本体１１３の南面１１３ｃを形成する外壁部１１６ｃとが含まれている。この場合、外壁部１１６ａと外壁部１１６ｂとが平面視にてＬ字状をなして配置され、それら各外壁部１１６ａ，１１６ｂにより出隅１３３が形成されている。また、外壁部１１６ｂと外壁部１１６ｃとが平面視にてＬ字状をなして配置され、それら各外壁部１１６ｂ，１１６ｃにより出隅１３４が形成されている。なお、この場合、外壁部１１６ｂが第１外壁部に相当し、各外壁部１１６ａ，１１６ｃがそれぞれ第２外壁部に相当する。また、建物本体１１３の西面１１３ｂが、「建物本体部における所定の側面」に相当する。
【００９７】
建物本体１１３には、各外壁部１１６ａ〜１１６ｃにより囲まれた内側に、屋内空間として、ＬＤＫ１２２と和室１２４とが設けられている。ＬＤＫ１２２と和室１２４とのうち、和室１２４が北側、ＬＤＫ１２２が南側に配置されている。和室１２４は、その２面が各外壁部１１６ａ，１１６ｂに隣接しており、ＬＤＫ１２２は、その２面が各外壁部１１６ｂ，１１６ｃに隣接している。詳しくは、ＬＤＫ１２２は、リビング空間１２２ａとダイニングキッチン空間１２２ｂとを有しており、それら各空間１２２ａ，１２２ｂが互いに連続した連続空間となっている。この場合、リビング空間１２２ａが南側、ダイニングキッチン空間１２２ｂが北側に配置されている。なお、ＬＤＫ１２２と和室１２４とが「隣接空間」に相当する。
【００９８】
テラス空間１３１は、建物本体１１３の北面１１３ａ，西面１１３ｂ，南面１１３ｃに跨がって平面視コ字状に形成されている。テラス空間１３１は、外壁部１１６ａを隔てて和室１２４と隣接しているとともに、外壁部１１６ｂを隔てて和室１２４と隣接している。各外壁部１１６ａ，１１６ｂにはそれぞれ和室１２４からテラス空間１３１への出入りを可能とする出入口１３６，１３７が設けられ、それら出入口１３６，１３７にはそれぞれガラス戸１３８，１３９が設けられている。
【００９９】
テラス空間１３１は、外壁部１１６ｂを隔ててＬＤＫ１２２と隣接しているとともに、外壁部１１６ｃを隔ててＬＤＫ１２２と隣接している。外壁部１１６ｂには、ＬＤＫ１２２（詳しくはダイニングキッチン空間１２２ｂ）とテラス空間１３１とを連通する窓部１４１が設けられ、その窓部１４１にはガラス戸１４３が設けられている。また、外壁部１１６ｂには、ＬＤＫ１２２（詳しくはリビング空間１２２ａ）からテラス空間１３１への出入りを可能とする出入口１４２が設けられ、その出入口１４２にはガラス戸１４４が設けられている。また、外壁部１１６ｃには、ＬＤＫ１２２（詳しくはリビング空間１２２ａ）からテラス空間１３１への出入りを可能とする出入口１４６が設けられ、その出入口１４６にはガラス戸１４７が設けられている。
【０１００】
なお、外壁部１１６ｂに設けられた各出入口１３７，１４２及び窓部１４１が、「隣接空間と半屋外空間とを連通する複数の窓部」に相当する。
【０１０１】
外壁部１１６ｂの屋外側には、その外壁部１１６ｂに離間しかつ対向する対向壁部１４８が設けられている。対向壁部１４８は、その壁幅方向に所定の間隔をおいて複数（具体的には４つ）配置されている。これら各対向壁部１４８において隣り合う各対向壁部１４８の間には壁間開口部１４９が形成されている。本実施形態では、この壁間開口部１４９が複数（具体的には３つ）設定されている。各壁間開口部１４９のうち、壁間開口部１４９ａは、出入口１３７と対向する位置に配置され、壁間開口部１４９ｂは、窓部１４１と対向する位置に配置され、壁間開口部１４９ｃは、出入口１４２と対向する位置に配置されている。
【０１０２】
詳しくは、壁間開口部１４９ａは、その開口幅が出入口１３７の開口幅と同じとされており、開口幅方向において出入口１３７と同じ位置に配置されている。また、壁間開口部１４９ｂは、その開口幅が窓部１４１の開口幅と同じとされ、開口幅方向において窓部１４１と同じ位置に配置されている。また、壁間開口部１４９ｃは、その開口幅が出入口１４２の開口幅と同じとされ、開口幅方向において出入口１４２と同じ位置に配置されている。なお、本実施形態では、各出入口１３７，１４２の開口幅と窓部１４１の開口幅とがいずれも同じ大きさに設定されている。
【０１０３】
各対向壁部１４８は、いずれも屋根部１１４の軒部１１８の下方に配置され、上端部が軒部１１８と接続されている。これにより、各対向壁部１４８はいずれも屋根部１１４と一体化されている。各対向壁部１４８は、その壁厚み方向においてテラス空間１３１の中間部詳しくは中央部に配置されている。したがって、テラス空間１３１は、上記壁厚み方向において各対向壁部１４８を挟んだ両側に拡がって形成されている。
【０１０４】
また、各対向壁部１４８には、それら対向壁部１４８の並ぶ並び方向における両端に配置された対向壁部１４８ａ，１４８ｂと、それら各対向壁部１４８ａ，１４８ｂの間に配置された対向壁部１４８ｃ，１４８ｄとが含まれている。両端の各対向壁部１４８ａ，１４８ｂのうち、対向壁部１４８ａは、その壁幅方向において、外側（北側）の端部が外壁部１１６の出隅１３３と同じ位置に設定され、対向壁部１４８ｂは、その壁幅方向において、外側（南側）の端部が外壁部１１６の出隅１３４と同じ位置に設定されている。これら両端の対向壁部１４８ａ，１４８ｂは、その壁幅が中間部の対向壁部１４８ｃ，１４８ｄよりも短くされている。詳しくは、これら両端の対向壁部１４８ａ，１４８ｂは、その壁幅が壁厚の２倍（程度）に設定された上下に細長い柱状の壁となっている。
【０１０５】
テラス空間１３１は、その一部が軒部１１８の下方に形成された軒下空間１５１となっている。軒下空間１５１は、外壁部１１６ｂに隣接して設けられた第１軒下空間１５２と、外壁部１１６ａに隣接して設けられた第２軒下空間１５３と、外壁部１１６ｃに隣接して設けられた第３軒下空間１５４とを有している。図８では便宜上、これら各軒下空間１５２〜１５４の外縁をそれぞれ点線の枠で示している。なお、第２軒下空間１５３及び第３軒下空間１５４がそれぞれ特許請求の範囲に記載された「第２軒下空間」に相当する。
【０１０６】
第１軒下空間１５２は、各対向壁部１４８に跨がって連続して形成されている。各対向壁部１４８に接続された屋根部１１４の軒部１１８は各対向壁部１４８よりも屋外側に張り出して設けられている。そのため、その軒部１１８の下方の第１軒下空間１５２は、対向壁部１４８の壁厚み方向において各対向壁部１４８を挟んだ両側に拡がって形成されている。
【０１０７】
第２軒下空間１５３は、外壁部１１６ｂに沿って延びるように形成されている。第２軒下空間１５３は、その延びる方向（換言すると、外壁部１１６ｂの壁幅方向）において外壁部１１６ａよりも延出しており、その延出した部分が第１軒下空間１５２と連続している。
【０１０８】
外壁部１１６ｂの第２軒下空間１５３側（屋外側）には、当該外壁部１１６ｂと対向する対向壁部が設けられていない。詳しくは、外壁部１１６ｂの壁幅方向における第２軒下空間１５３の全域において、外壁部１１６ｂよりも第２軒下空間１５３側には壁部が一切設けられていない。このため、第２軒下空間１５３は、その全域が屋外に向けて開放された開放空間となっている。
【０１０９】
第３軒下空間１５４は、外壁部１１６ｃに沿って延びるように形成されている。第３軒下空間１５４は、その延びる方向（換言すると、外壁部１１６ｃの壁幅方向）において外壁部１１６ａよりも延出しており、その延出した部分が第１軒下空間１５２と連続している。これにより、軒下空間１５１は、第１軒下空間１５２と第２軒下空間１５３と第３軒下空間１５４とが平面視コ字状をなして連続する連続空間となっている。
【０１１０】
外壁部１１６ｃの第３軒下空間１５４側（屋外側）には、当該外壁部１１６ｃと対向する対向壁部が設けられていない。詳しくは、外壁部１１６ｃの壁幅方向における第３軒下空間１５４の全域において、外壁部１１６ｃよりも第３軒下空間１５４側には壁部が一切設けられていない。このため、第３軒下空間１５４は、その全域が屋外に向けて開放された開放空間となっている。
【０１１１】
続いて、軒下空間１５１を利用する際の利用例について説明する。
【０１１２】
軒下空間１５１のうち、第１軒下空間１５２では、対向壁部１４８が部分的に設けられているため、外部からの視線を適度に遮ることができ、プライベートな目的で利用することが可能となる。また、第２軒下空間１５３は、屋外に開放された開放空間となっており、北側の小庭を望むプライベート空間として利用することが可能である。特に、第２軒下空間１５３は、建物本体１１３を挟んで道路Ｒとは反対側に設けられているため、住宅外部からの視線を気にすることなく利用することが可能となる。
【０１１３】
また、第３軒下空間１５４は、屋外に開放された開放空間となっているため、来客を招いてパブリックな目的で利用することが可能である。特に、第３軒下空間１５４は、ＬＤＫ１２２（リビング空間１２２ａ）から出入り可能となっているため、パブリックな目的で利用する際には好都合である。また、第３軒下空間１５４と第１軒下空間１５２とを含めたＬ字空間として利用することも可能である。
【０１１４】
ここで、上述した軒下空間１５１は、複数の建物ユニット２０を用いて形成されている。その点に関する構成について説明すると、軒下空間１５１を構成する第１〜第３軒下空間１５２〜１５４のうち、第１軒下空間１５２は、横並びに設けられた複数の建物ユニット２０（以下、建物ユニット２０ｃという）の内部空間を用いて形成されている。各建物ユニット２０ｃは、その（平面視）長手方向を外壁部１１６ｂの壁厚み方向に向けた状態で、外壁部１１６ｂの壁幅方向に並べて配置されている。そして、第１軒下空間１５２は、これら各建物ユニット２０ｃの内部に跨がって形成されている。なお、図８では、各建物ユニット２０ｃを他の建物ユニット２０と区別するため、それら各建物ユニット２０ｃの柱２１を黒塗りして示している。
【０１１５】
各建物ユニット２０ｃの短辺側の側面部には、対向壁部１４８が形成されている。各対向壁部１４８ａ〜１４８ｄはいずれも、当該側面部を構成する柱２１を利用して形成されている。この場合、両端の対向壁部１４８ａ，１４８ｂについては、一の柱２１のみを利用して形成されているのに対し、中間部の対向壁部１４８ｃ，１４８ｄについては、隣り合う建物ユニット２０ｃの各柱２１を利用して形成されている。また、各建物ユニット２０ｃの内部には、それら各建物ユニット２０ｃに跨がって外壁部１１６ｂが形成されている。
【０１１６】
第１軒下空間１５２を形成する各建物ユニット２０ｃを挟んだ両側は建物ユニット２０の設けられていない非ユニット空間とされている。これら各非ユニット空間を利用して第２軒下空間１５３及び第３軒下空間１５４が形成されている。
【０１１７】
以上、詳述した本実施形態の構成によれば、以下の優れた効果が得られる。
【０１１８】
外壁部１１６ｂの屋外側に隣接させてテラス空間１３１を設け、その外壁部１１６ｂの屋外側には対向壁部１４８を設けたため、テラス空間１３１で過ごす際、対向壁部１４８により住宅外部からの視線を遮ることができる。また、対向壁部１４８を、その壁幅方向に複数配置して、隣り合う対向壁部１４８の間に壁間開口部１４９を形成したため、テラス空間１３１において開放感が損なわれるのを抑制しながら、プライバシ性の確保を図ることができる。さらに、各対向壁部１４８をいずれも屋根部１１４の軒部１１８に接続したため、各対向壁部１４８について屋根部１１４との一体感を高めることができ、ひいては住宅１１０との一体感を高めることができる。これにより、住宅１１０の外観が損なわれるのを抑制しながら、テラス空間１３１を好適に利用することが可能となる。
【０１１９】
テラス空間１３１の一部を軒下空間１５１とし、その軒下空間１５１を各対向壁部１４８に跨がって連続して形成した。この場合、建物本体１１３の西側に連続した軒下空間を形成することができる。また、軒下空間１５１の一部が、各対向壁部１４８により屋外側から覆われることになるため、軒下空間１５１においてプライバシ性の確保を図ることが可能となる。
【０１２０】
軒下空間１５１を、外壁部１１６ｂに隣接する第１軒下空間１５２と、外壁部１１６ａに隣接する第２軒下空間１５３と、外壁部１１６ｃに隣接する第３軒下空間１５４とを有して形成したため、建物本体１１３の３面（北面１１３ａ、西面１１３ｂ及び南面１１３ｃ）に跨がる連続した軒下空間を形成することができる。これにより、住宅１１０周りの空間について有効活用を図ることができる。
【０１２１】
また、第１軒下空間１５２は、対向壁部１４８によりプライバシ性が確保された空間となっている一方で、外壁部１１６ａの第２軒下空間１５３側（屋外側）には壁部を設けず、また外壁部１１６ｃの第３軒下空間１５４側（屋外側）には壁部を設けないことで、第２軒下空間１５３及び第３軒下空間１５４を屋外に向けて広く開放された開放空間とした。これにより、例えば第１軒下空間１５２や第２軒下空間１５３をプライベートな目的で利用したり、第３軒下空間１５４を友人等を招いてパブリックな目的で利用したりする等、軒下空間１５１を種々の用途で利用することが可能となる。
【０１２２】
また、第２軒下空間１５３と第３軒下空間１５４とを建物本体１１３を挟んで反対側に配置したため、それら各軒下空間１５３，１５４を同時に利用する際にも、相互にプライバシの確保を図ることが可能となる。
【０１２３】
隣り合う対向壁部１４８の間の各壁間開口部１４９ａ〜１４９ｃをそれぞれ外壁部１１６ｂに設けられた各出入口１３７，１４２及び窓部１４１と対向させて配置した。この場合、互いに対向する出入口１３７及び壁間開口部１４９ａを介して和室１２４が住宅外部に開放される。また、互いに対向する窓部１４１及び壁間開口部１４９ｂを介してＬＤＫ１２２が住宅外部に開放されるとともに、互いに対向する出入口１４２及び壁間開口部１４９ｃを介してＬＤＫ１２２が住宅外部に開放される。これにより、外壁部１１６ｂの屋外側に対向壁部１４８が複数設けられた構成にあって、和室１２４及びＬＤＫ１２２において開放感が損なわれるのを抑制することができる。
【０１２４】
〔他の実施形態〕
本発明は上記実施形態に限らず、例えば次のように実施されてもよい。
【０１２５】
・上記第１の実施形態では、テラス空間５７を建物本体１３の二面に跨がって形成し、上記第２の実施形態では、テラス空間１３１を建物本体１１３の三面に跨がって形成したが、これを変更して、テラス空間を建物本体１３，１１３の一面のみ（例えば西面１３ａ，１１３ｂのみ）に隣接する空間としてもよい。
【０１２６】
・上記各実施形態では、本発明の住宅を平屋建て（一階建て）としたが、二階建て以上の住宅としてもよい。例えば、二階建ての住宅であれば、建物本体の二階部分の上方に屋根部が設けられる。このため、対向壁部を、一階部分と二階部分とに跨がる高さで形成し、その上端部を上記屋根部の軒部に接続することになると考えられる。
【０１２７】
・上記各実施形態では、半屋外空間をテラス空間５７，１３１としたが、半屋外空間を縁側空間とする等、テラス空間以外の空間としてもよい。また、半屋外空間を床部の設定されていない空間としてもよい。
【０１２８】
・上記各実施形態では、本発明の住宅をユニット式住宅としたが、鉄骨軸組工法や在来木造工法等、他の工法で構築された住宅としてもよい。
【符号の説明】
【０１２９】
１０…住宅、１３…建物本体部としての建物本体、１３ａ…所定の側面としての西面、１４…屋根部、１６…外壁部、１６ａ…第１外壁部としての外壁部、１６ｂ…第２外壁部としての外壁部、１８…軒部、３５…凹状部、５７…半屋外空間としてのテラス空間、５７ａ…床部としてのデッキ、６１…出隅、６２…外壁部分、６３…外壁部分、６４…入り込み空間、８８…対向壁部、８９…壁間開口部、９１…軒下空間、９２…第１軒下空間、９３…第２軒下空間、９５…第１壁間空間部、９６…第２壁間空間部、９７…繋ぎ空間部、９８…Ｌ字空間部、９９…庭空間、１１０…住宅、１１３…建物本体部としての建物本体、１１３ｂ…所定の側面としての西面、１１４…屋根部、１１６…外壁部、１１６ａ…第２外壁部としての外壁部、１１６ｂ…第１外壁部としての外壁部、１１６ｃ…第２外壁部としての外壁部、１１８…軒部、１２２…隣接空間としてのＬＤＫ、１２４…隣接空間としての和室、１３１…半屋外空間としてのテラス空間、１３１ａ…床部としてのデッキ、１３３…出隅、１３４…出隅、１３７…窓部としての出入口、１４１…窓部としての出入口、１４２…窓部としての出入口、１４８…対向壁部、１４９…壁間開口部、１５１…軒下空間、１５２…第１軒下空間、１５３…第２軒下空間、１５４…第３軒下空間。
【図１】
2019085814.tif 000003
【図２】
2019085814.tif 000004
【図３】
2019085814.tif 000005
【図４】
2019085814.tif 000006
【図５】
2019085814.tif 000007
【図６】
2019085814.tif 000008
【図７】
2019085814.tif 000009
【図８】
2019085814.tif 000010